(57)【要約】【課題】本発明は、ロフト部と居住部との段差を小さくして一体的な居住空間を可能とするロフト付き建築構造を提供することを目的とするものである。【解決手段】本発明は、第１の区画領域４の上方に位置するロフト部９を有する第１の領域３０と、居住部７を有すると共に、第１の領域３０と仕切壁５を介して隣接して位置する第２の領域４０とを備えるロフト付き建築構造であって、居住部７の床１５面の高さは、ロフト部９のロフト床６面の高さと略同一である構成とされる。【選択図】図１
2010189858.tif 000002
【特許請求の範囲】
【請求項１】
第１の区画領域の上方に位置するロフト部を有する第１の領域と、
居住部を有すると共に、前記第１の領域と仕切壁を介して隣接して位置する第２の領域とを備えるロフト付き建築構造であって、
前記居住部の床面の高さは、前記ロフト部の床面の高さと略同一である
ロフト付き建築構造。
【請求項２】
前記第１の区画領域に設けられた外部に通じる出入り口と、
前記第１の区画領域から前記居住部に通じる階段とを備える
請求項１に記載のロフト付き建築構造。
【請求項３】
前記居住部の下方に位置する所定領域に設けられた外部に通じる出入り口と、
前記所定領域から前記居住部に通じる階段とを備える
請求項１に記載のロフト付き建築構造。
【請求項４】
前記居住部の下方に位置する第２の区画領域を備える
請求項１、請求項２または請求項３に記載のロフト付き建築構造。
【発明の詳細な説明】
【技術分野】
【０００１】
本発明は、ロフト付き建築構造に関する。詳しくはロフト付き家屋のロフトと居室床面とを一体的に活用できる構造としたロフト付き建築構造に係るものである。
【背景技術】
【０００２】
近年、アパートやマンション等の集合住宅としてロフト付き構造の住宅が提案されており、例えば特許文献１に記載されている。具体的には図６に示すように、上下階の住戸１０１を貫通する矩形断面形状の筒状壁部１０２によって囲まれる収納室１０３が、各住戸１０１の居室部１０４から出入り可能に設けられている。また、各収納室１０３の天井高さは、各居室部１０４の天井高さよりも高くなっており、各収納室１０３は、ロフト床１０５によって上方のロフト部１０６と下方の収納部１０７とに区画された構成とされている。
【先行技術文献】
【特許文献】
【０００３】
【特許文献１】特開２００９−１３５８１号  公報
【発明の概要】
【発明が解決しようとする課題】
【０００４】
しかしながら従来のロフト付き構造の住宅では、ロフト部が高い位置にあるためにロフト部への出入りの際には梯子が必要となり、大きな荷物や重い荷物の出し入れには危険を伴う可能性がある。
また、ロフト部を寝室等の居住空間として利用する場合には、床面から身長ほどの高さがあるために、落下による危険性が伴う問題がある。
【０００５】
また、ロフト付き構造の住宅では居室部の天井が高く、かつロフト部の位置が高いためにエアコンによる冷却時にはロフト部下方に冷気が集まり、ロフト部位置まで充分な冷却が行なえず、逆に暖房時には暖気が天井まで上がるために暖房効率が悪くなる問題がある。
【０００６】
本発明は、以上の点に鑑みて創案されたものであって、ロフト部と居住部との段差を小さくして一体的な居住空間を可能とするロフト付き建築構造を提供することを目的とするものである。
【課題を解決するための手段】
【０００７】
上記の目的を達成するために、本発明に係るロフト付き建築構造は、第１の区画領域の上方に位置するロフト部を有する第１の領域と、居住部を有すると共に、前記第１の領域と仕切壁を介して隣接して位置する第２の領域とを備えるロフト付き建築構造であって、前記居住部の床面の高さは、前記ロフト部の床面の高さと略同一である構成とされる。
【０００８】
ここで、ロフト部と隣接された居住部の床をロフト部の床面の高さと略同一とすることによりロフト部と居住部とが一体平面的となり、ロフト部を寝室などの部屋として広く活用することが可能となる。
【０００９】
なお、本願発明における居住部の床面高さは、ロフト部の床面の高さと略同一である構成とは、はしご等を用いずに居住部からロフト部への移動が自由にできる段差を含むものである。
【００１０】
また、仕切壁に、玄関に通じる開閉ドアーが設けられると共に、居住部へ通じる階段が設けられた構造とすることにより玄関より開閉ドアーをより階段を通じて居住室への出入りが可能となる。
【００１１】
また、第1の区画領域の居住部の床面の高さをロフト部の床面の高さと略同一である構造とすることにより居住部の下方位置に第２の区画領域を備えた部屋が形成されることになり、服や荷物等を収納に利用することが可能となる。
【発明の効果】
【００１２】
上述したように本発明のロフト付き建築構造は、ロフト床に対して居住部の床を略同じ高さとなるように上げることにより、ロフトと居住部が一体平面的となり、居住空間を広く活用することが可能となる。
【００１３】
また、ロフトと居住部が一体平面的となることにより、冷暖房が効率良く行うことができ、更に洋室の床の下部空間の有効利用が可能となる。
【図面の簡単な説明】
【００１４】
【図１】本発明を適用したロフト付き建築構造の一例を示す断面説明図である。
【図２】図１Ａ−Ａ線における平面説明図である。
【図３】図１Ｂ−Ｂ線における平面説明図である。
【図４】本発明を適用したロフト付き２階建てアパートにおける建築構造の一例を示す断面説明図である。
【図５】本発明を適用したロフト付き２階建てアパートにおける建築構造の他の例を示す断面説明図である。
【図６】従来のロフト付き建築構造の一例を示す説明図である。
【発明を実施するための形態】
【００１５】
以下、本発明の実施の形態を図面を参酌しながら説明し、本発明の理解に供する。
図１は、本発明を適用したロフト付き建築構造の一例を示す断面説明図、図２は、図１Ａ−Ａ線における平面説明図、図３は、図１Ｂ−Ｂ線における平面説明図である。
【００１６】
ここで示す住戸１は、外壁２により１階通路３に面して天井高さが約３．７ｍ、かつ平面において長方形状の居住空間が形成されている。この居住空間は高さ約２．１ｍの仕切壁５によってロフト部９を有する第1の領域３０と居住部７を有する第２の領域４０とに区画されている。
【００１７】
そして第1の領域３０の下方には、そのロフト床６の高さが仕切壁５と同一高さとすることにより第1の区画領域４が形成されている。この第1の区画領域４は、１階通路３に面して玄関ドアー１２が設けられると共に、キッチン１０、トイレ１１および浴室２０に仕切られている。
【００１８】
ここで、ロフト部９は、ロフト床６と第1の領域３０の天井８との間に高さ約１．４ｍの居住空間が形成されている。
【００１９】
次に、第２の領域４０は、その床１５面の高さをロフト部９のロフト床６面の高さと略同一高さとされた洋室形態の居住部７が形成されている。この居住部７は、その床１５と第２の領域４０の天井８との間に高さ約２．３５ｍの空間を有する居住空間が形成され、仕切壁５に設けられる開閉ドアー１３の前方に設けられた階段１６によって居住部７への出入りが可能な構成とされている。
【００２０】
ここで、居住部７の床１５の下方には、高さ約１．４ｍの第２の区画領域１７が形成されている。この第２の区画領域１７は、天井高さが大人の身長よりも低いために居住用としてではなく衣装部屋や荷物の収納部屋として活用することが望ましいものである。
【００２１】
次に、図４は、本発明を適用したロフト付き２階建てアパートにおける建築構造の一例を示す断面説明図である。
【００２２】
ここで、アパートの１階部分は図１〜図３において詳述したように、外壁２により１階通路３に面して天井高さが約３．７ｍ、かつ平面において長方形状の居住空間が形成されている。この居住空間は高さ約２．１ｍの仕切壁５によってロフト部９を有する第1の領域３０と居住部７を有する第２の領域４０とに区画されている。
【００２３】
そして第1の領域３０の下方には、そのロフト床６の高さが仕切壁５と同一高さとすることにより第1の区画領域４が形成されている。この第1の区画領域４は、１階通路３に面して玄関ドアー１２が設けられると共に、キッチン１０、トイレ１１および浴室２０に仕切られている。
【００２４】
ここで、ロフト部９は、ロフト床６と第1の領域３０の天井８との間に高さ約１．４ｍの居住空間が形成され、更に、仕切壁５には玄関ドアー１２よりキッチン１０を通して第２の領域４０に通じる開閉ドアー１３が設けられている。
【００２５】
また、第２の領域４０上方には、その床１５面の高さをロフト部９のロフト床６面の高さと略同一高さとされた洋室形態の居住部７が形成されている。この居住部７は、その床１５と第２の領域４０の天井８との間に高さ約２．３５ｍの空間を有する居住空間が形成され、仕切壁５に設けられる開閉ドアー１３の前方に設けられた階段１６によって居住部７への出入りが可能な構成とされている。
【００２６】
また、居住部７の床１５の下方には、高さ約１．４ｍの第２の区画領域１７が形成されている。この第２の区画領域１７は、天井高さが大人の身長よりも低いために居住用としてではなく衣装部屋や荷物の収納部屋として活用することが望ましいものである。
【００２７】
次に、アパートの２階部分は、外壁２により２階通路３Ａに面して天井高さが約２．４ｍ、かつ平面において長方形状の居住空間が形成されている。この居住空間は仕切壁５によって第1の区画領域４と居住部７とに区画されている。
【００２８】
そして第1の区画領域４は、２階通路３Ａに面して玄関ドアー１２が設けられると共に、キッチン１０、トイレ１１および浴室２０に仕切られ、更に仕切壁５には玄関ドアー１２よりキッチン１０を通して居住部７に通じる開閉ドアー１３が設けられている。
【００２９】
また、第1の区画領域４の上部の屋上１８には外壁２が上方に延設されることにより居住空間としての居住室１９が形成されている。この居住室１９の床１５Ａには出入り口２１が開口され、この出入り口２１に階下の居住部７に設けられた階段１６Ａが設けられることによって居住部７から居住室１９への出入りが自在に行える構成とされている。
【００３０】
更に、居住室１９に開閉ドアー１３Ａが設けられ、屋上１８への出入り自在な構成とされている。
【００３１】
以上に構成よりなるアパートでは、１階部分では居住部７の床１５をロフト部９のロフト床６と略同一位置とした構成とすることにより居住部７とロフト部９が一体平面的となり、ロフト部９を寝室に使用するなど居住部７との一体的な有効利用が可能となる。
【００３２】
また、居住部７の下部に第２の区画領域１７が形成されることにより、服や荷物等を収納することにより収納室として活用することができ、それにより居住部７およびロフト部９に洋服タンス等を配置することがなく広く利用することが可能となる。
【００３３】
また、アパートの２階部分では、屋上１８に居住領域１９を新たに設けることにより、屋上１８を有効利用することができると共に居住空間を大きくとることが可能となる。
【００３４】
また、図５は、本発明を適用したロフト付き２階建てアパートにおける建築構造の他の例を示す断面説明図である。
【００３５】
ここで、アパートの１階部分は、外壁２により１階通路３に面して天井高さが約２．４ｍ、かつ平面において長方形状の居住空間が形成されている。この居住空間は仕切壁５によって第1の区画領域４と居住部７とに区画されている。
【００３６】
そして第1の区画領域４は、２階通路３Ａに面して玄関ドアー１２が設けられると共に、キッチン１０、トイレ１１および浴室２０に仕切られ、更に仕切壁５には玄関ドアー１２よりキッチン１０を通して居住部７に通じる開閉ドアー１３が設けられている。
【００３７】
一方、アパートの２階部分は、外壁２により１階通路３に面して天井高さが約３．７ｍ、かつ平面において長方形状の居住空間が形成されている。この居住空間は高さ約２．１ｍの仕切壁５によってロフト部９を有する第1の領域３０と居住部７を有する第２の領域４０とに区画されている。
【００３８】
そして第1の領域３０の下方には、そのロフト床６の高さが仕切壁５と同一高さとすることにより第1の区画領域４が形成されている。この第1の区画領域４は、１階通路３に面して玄関ドアー１２が設けられると共に、キッチン１０、トイレ１１および浴室２０に仕切られている。
【００３９】
ここで、ロフト部９は、ロフト床６と第1の領域３０の天井８との間に高さ約１．４ｍの居住空間が形成され、更に、仕切壁５には玄関ドアー１２よりキッチン１０を通して第２の領域４０に通じる開閉ドアー１３が設けられている。
【００４０】
また、第２の領域４０上方には、その床１５面の高さをロフト部９のロフト床６面の高さと略同一高さとされた洋室形態の居住部７が形成されている。この居住部７は、その床１５と第２の領域４０の天井８との間に高さ約２．３５ｍの空間を有する居住空間が形成され、仕切壁５に設けられる開閉ドアー１３の前方に設けられた階段１６によって居住部７への出入りが可能な構成とされている。
【００４１】
更に、居住部７の床１５の下方には、第２の区画領域１７Ａが形成されている。この第２の区画領域１７は、１階の居住部７と連通状とされ、１階の居住部７の奥部に設けられる階段１６によって出入り自在な構成とされている。
【００４２】
以上の構成よりなるアパートでは、２階部分では居住部７の床１５をロフト部９のロフト床６略同一位置となるような構成とすることにより居住部７とロフト部９が一体平面的となり、ロフト部９を寝室に使用するなど居住部７との一体的な有効利用が可能となる。
【００４３】
一方、アパートの１階部分では、２階の居住部７の床１５の下部の空間を１階と連通状とし、かつ階段１６によって出入り自在な第２の区画領域１７Ａを設けることによって寝室、あるいは服の収納や物置として活用することができる。
【００４４】
また、ロフト付き建築構造が、２階建てアパートの１階、あるいは２階とされることにより２階建てアパートで２種類の住戸を併せ持つ構造となり、単身、あるいは妻帯者による住戸の選択が可能となる。
【符号の説明】
【００４５】
１      住戸
２      外壁
３      １階通路
３Ａ    2階通路
４      第1の区画領域
５      仕切壁
６      ロフト床
７      居住部
８      天井
９      ロフト部
１０    キッチン
１１    トイレ
１２    玄関ドアー
１３、１３Ａ  開閉ドアー
１５    床
１６、１６Ａ  階段
１７、１７Ａ  第２の区画領域
１８    屋上
１９    居住室
２０    浴室
２１    出入り口
３０    第1の領域
４０    第２の領域
【図１】
2010189858.tif 000003
【図２】
2010189858.tif 000004
【図３】
2010189858.tif 000005
【図４】
2010189858.tif 000006
【図５】
2010189858.tif 000007
【図６】
2010189858.tif 000008